(57)【要約】【課題】障子の開閉と障子のロックおよびロック解除とを同時に行うことができるすべり出し窓を提供する。【解決手段】すべり出し窓の障子開閉装置３は、障子開閉用操作軸１５と、下枠部材１ａに回転自在に設けられ、かつ操作軸１５により回転させられる第１アーム１７と、長さの中間部において第１アーム１７の先端部に回転自在に連結され、かつ両端部が下枠部材１ａおよび下かまち２ａに対してそれぞれ左右方向に移動自在に連結された第２アーム１８とを備えている。第２アーム１８の下枠部材１ａ側端部に、垂直軸線周りに回転自在でかつ閉位置にある障子２に係合して障子２をロックするロック部材１９を設ける。下枠部材１ａに、障子２が閉位置近傍から閉方向に回転するさいにロック部材１９を障子と係合する係合方向に回転させるとともに、障子２が閉位置から開くさいにロック部材１９を反係合方向に回転させるロック手段を設ける。【選択図】　　　図２
2004076452.tif 000002
【特許請求の範囲】
【請求項１】
窓枠と、障子支持装置を介して窓枠に取り付けられ、かつ上端部を中心として前後方向に揺動するとともに、揺動中心が上下方向に移動する障子と、窓枠の下枠部材と障子の下かまちとの間に設けられた障子開閉装置とを備えたすべり出し窓において、
障子開閉装置が、下枠部材に設けられた障子開閉用の操作軸と、下枠部材に垂直軸線の周りに回転自在に設けられ、かつ操作軸の軸線周りの回転により回転させられる第１アームと、長さの中間部において第１アームの先端部に回転自在に連結され、かつ一端部が下枠部材に対して左右方向に移動自在に連結されるとともに、他端部が下かまちに対して左右方向に移動自在に連結された第２アームと、第２アームにおける下枠部材への連結側端部に垂直軸線周りに回転自在に設けられかつ閉位置にある障子の係合部に係合して障子をロックするロック部材と、下枠部材に設けられかつ障子が閉位置近傍から閉方向に回転するさいにロック部材を障子の係合部と係合する係合方向に回転させるとともに、障子が閉位置から開くさいにロック部材を障子の係合部との係合を解除する反係合方向に回転させるロック手段とを備えているすべり出し窓。
【請求項２】
ロック手段が、下枠部材に設けられ、かつロック部材に当接してロック部材を係合方向に回転させる当接部材と、ロック部材を反係合方向に付勢する付勢手段とよりなる請求項１のすべり出し窓。
【請求項３】
ロック部材の長さの中間部が、第２アームに取り付けられた垂直ピンの周りに回転自在に嵌められており、垂直ピンに、ロック部材を第２アームに対して反係合方向に付勢する捩りばねが設けられている請求項２のすべり出し窓。
【請求項４】
第２アームの下かまち側端部が、下かまちに対して着脱自在に連結されている請求項１〜３のうちのいずれかのすべり出し窓。
【請求項５】
下枠部材および下かまちにそれぞれアーム支持部材が固定され、両アーム支持部材にそれぞれ左右方向に伸びる長穴が形成され、第２アームの両端部に設けられた垂直状係合ピンが、それぞれ両アーム支持部材の長穴内に移動自在に嵌められている請求項１〜４のうちのいずれかのすべり出し窓。
【請求項６】
窓枠に対して離隔した位置から操作軸を回転させる操作手段を有している請求項１〜５のうちのいずれかのすべり出し窓。
【発明の詳細な説明】
【０００１】
【発明の属する技術分野】
この発明は、窓枠と、窓枠に、上端部において水平な回転中心線の周りに回転するように取り付けられ、かつ前記回転中心線が上下方向に移動するようになされた障子と、窓枠の下枠部材と障子の下かまちとの間に設けられた障子開閉装置とを備えたすべり出し窓に関する。
【０００２】
この明細書において、図１および図９の上下を上下といい、図１および図９の左側を前、右側を後というものとする。また、図２の左右を左右というものとする。
【０００３】
【従来の技術と発明が解決しようとする課題】
この種のすべり出し窓の開閉装置としては、従来、窓枠の下枠部材に固定されたケーシングと、一端部がケーシングに垂直軸線の周りに障子開位置と障子閉位置とに切り替えられるように回転自在に取り付けられるとともに他端部がケーシングから前方に突出した位置において障子に連結され、かつ障子開位置と障子閉位置に切り替えられることにより障子を開閉させる障子開閉用アームと、ケーシングに回転自在に支持された操作軸と、操作軸におけるケーシングから突出した部分に取り付けられた操作ハンドルと、操作ハンドルによる操作軸の回転を障子開閉用アームの垂直軸線周りの回転に変換する伝動装置と、ケーシングに障子開閉用アームとは別の垂直軸線周りに回転自在に設けられ、かつ障子に設けられた係合部に係合して障子をロックするロック部材とを有しており、操作ハンドルを回すことによる障子の開閉とは別個に、ロック部材を回転させて障子の係合部への係合および係合解除が行われるようになされたものが用いられていた。
【０００４】
しかしながら、従来のすべり出し窓では、操作ハンドルによる障子の開閉と、ロック部材による障子のロックおよびロック解除とを別々に行わなければならず、その作業が面倒であるという問題があった。また、すべり出し窓が、たとえば家屋の壁の高所に設けられた場合、障子のロックおよびロック解除を行うことができないという問題があった。
【０００５】
さらに、通常、この種のすべり出し窓の障子は屋外側に開き、開位置においてすべり出し窓が設けられた壁と鋭角をなすようになっているが、この場合、障子の外面の清掃が困難であるという問題があった。
【０００６】
この発明の目的は、上記問題を解決し、障子の開閉と障子のロックおよびロック解除とを同時に行うことができるすべり出し窓を提供することにある。
【０００７】
この発明の他の目的は、高所に設けられている場合にも、障子のロックおよびロック解除を行うことができるすべり出し窓を提供することにある。
【０００８】
この発明のさらに他の目的は、障子の外面の清掃を容易に行うことができるすべり出し窓を提供することにある。
【０００９】
【課題を解決するための手段と発明の効果】
請求項１の発明によるすべり出し窓は、
窓枠と、窓枠に、上端部において水平な回転中心線の周りに回転するように取り付けられ、かつ前記回転中心線が上下方向に移動するようになされた障子と、窓枠の下枠部材と障子の下かまちとの間に設けられた障子開閉装置とを備えたすべり出し窓において、
障子開閉装置が、下枠部材に設けられた障子開閉用の操作軸と、下枠部材に垂直軸線の周りに回転自在に設けられ、かつ操作軸の軸線周りの回転により回転させられる第１アームと、長さの中間部において第１アームの先端部に回転自在に連結され、かつ一端部が下枠部材に対して左右方向に移動自在に連結されるとともに、他端部が下かまちに対して左右方向に移動自在に連結された第２アームと、第２アームにおける下枠部材への連結側端部に垂直軸線周りに回転自在に設けられかつ閉位置にある障子の係合部に係合して障子をロックするロック部材と、下枠部材に設けられかつ障子が閉位置近傍から閉方向に回転するさいにロック部材を障子の係合部と係合する係合方向に回転させるとともに、障子が閉位置から開くさいにロック部材を障子の係合部との係合を解除する反係合方向に回転させるロック手段とを備えているものである。
【００１０】
上記において、長さの中間部とは、両端部の間の部分を意味するものであり、長さの中央部のみに限定されるものではない。これは、以下の説明でも同様である。
【００１１】
請求項１の発明のすべり出し窓によれば、操作軸を回転させることにより第１アームを回転させると、第２アームの両端部が下枠部材および下かまちに対して左右方向に移動しつつ、第２アームが第１アームに対して回転し、その結果障子が開閉される。そして、障子を閉じるさいに、障子が閉位置近傍から閉位置に至るまでの間に、ロック手段によりロック部材が係合方向に回転させられ、障子が閉位置に至るとロック部材が障子の係合部に係合して障子がロックされる。また、障子が閉位置から開くさいに、ロック手段によりロック部材が反係合方向に回転させられ、閉位置近傍に至るまでの間にロック部材の障子の係合部への係合が解除され、障子のロックが解除される。したがって、操作軸を回すだけで、障子のロックおよびロック解除と、障子の開閉とを同時に行うことが可能になり、その結果これらを別個に行う必要があった従来の装置に比べて操作が簡単になる。
【００１２】
しかも、障子が閉位置でロックされている場合、第２アームの下かまちへの連結側端部と、障子の係合部に係合しているロック部材とによって、左右方向に離隔した２つの位置で障子に閉方向の力が作用する。したがって、窓枠と障子のかまちとの間の密閉性が向上する。
【００１３】
請求項２の発明によるすべり出し窓は、請求項１の発明において、ロック手段が、下枠部材に設けられ、かつロック部材に当接してロック部材を係合方向に回転させる当接部材と、ロック部材を反係合方向に付勢する付勢手段とよりなるものである。
【００１４】
請求項３の発明によるすべり出し窓は、請求項２の発明において、ロック部材の長さの中間部が、第２アームに取り付けられた垂直ピンの周りに回転自在に嵌められており、垂直ピンに、ロック部材を第２アームに対して反係合方向に付勢する捩りばねが設けられているものである。
【００１５】
請求項４の発明のすべり出し窓は、請求項１〜３のうちのいずれかの発明において、第２アームの下かまち側端部が、下かまちに対して着脱自在に連結されているものである。この場合、障子が開位置に来たさいに第２アームの下かまち側端部を下かまちから取り外すと、障子をほぼ水平な状態まで屋外側に開くことが可能となり、その結果障子の外面が上方を向くとともに、障子と窓枠の上枠部材との間の隙間が大きくなる。したがって、障子の外面の清掃を内側から簡単に行うことができる。
【００１６】
請求項５の発明によるすべり出し窓は、請求項１〜４のうちのいずれかの発明において、下枠部材および下かまちにそれぞれアーム支持部材が固定され、両アーム支持部材にそれぞれ左右方向に伸びる長穴が形成され、第２アームの両端部に設けられた垂直状係合ピンが、それぞれ両アーム支持部材の長穴内に移動自在に嵌められているものである。この場合、第２アームの一端部を下枠部材に対して左右方向に移動自在に連結するとともに、他端部を下かまちに対して左右方向に移動自在に連結するための構造が比較的簡単になる。
【００１７】
請求項６の発明によるすべり出し窓は、請求項１〜５のうちのいずれかの発明において、窓枠に対して離隔した位置から操作軸を回転させる操作手段を有しているものである。この場合、すべり出し窓が高所に設けられていたとしても、操作手段により操作軸を回転させて障子の開閉と障子のロックおよびロック解除を行うことができる。
【００１８】
上記請求項５の発明によるすべり出し窓において、第２アームの下枠部材側端部の係合ピンが第２アームに固定され、ロック部材の長さの中間部が係合ピンの周りに回転自在に嵌められており、ロック手段が、下枠部材に設けられ、かつロック部材に当接してロック部材を係合方向に回転させる当接部材と、係合ピンに装着され、かつロック部材を第２アームに対して反係合方向に付勢する捩りばねとよりなることがある。
【００１９】
このすべり出し窓において、下枠部材側アーム支持部材の長穴における障子が閉位置に来たさいに係合ピンが位置する側の端部に、前方に突出した山形部分が設けられているのがよい。この場合、ロック部材が障子の係合部へ係合するタイミングを遅らせることができ、これによりロック部材が閉位置の障子の係合部に確実に係合する。
【００２０】
上記請求項４または５の発明において、第２アームの下かまち側端部に設けられた係合ピンの先端部に径方向外側に張り出した頭部が形成され、下かまち側アーム支持部材の長穴の幅が頭部が通らないような幅となされ、この長穴における障子が開位置に来たさいに係合ピンが位置する側の端部に連なって、頭部が通過しうる頭部通過穴が形成されていることがある。この場合、比較的簡単な構造で、第２アームの下かまち側端部が、下かまちに対して着脱自在に連結される。
【００２１】
このすべり出し窓において、下かまち側アーム支持部材に、頭部通過穴を塞ぐ閉鎖位置と頭部通過穴を開放する開放位置との間で切り替えられる穴閉鎖部材が設けられているのがよい。こうすると、通常は、穴閉鎖部材で頭部通過穴を塞いでおくと、第２アームが誤って下かまちから外れることが防止される。また、第２アームを下かまちから取り外すさいには、穴閉鎖部材を開放位置に切り替えることにより、係合ピンを頭部通過穴を通してアーム支持部材から簡単に取り外すことができる。
【００２２】
【発明の実施形態】
以下、この発明の実施形態を、図面を参照して説明する。図１および図２はこの発明によるすべり出し窓の全体構成を示し、図３〜図７はすべり出し窓の要部の構成を示し、図８は障子の外面を清掃する状態を示す。
【００２３】
図１および図２において、すべり出し窓は、窓枠（１）と、窓枠（１）に、上端部において水平な回転中心線の周りに回転するように取り付けられ、かつ前記回転中心線が上下方向に移動するようになされた障子（２）と、窓枠（１）の下枠部材（１ａ）と障子（２）の下かまち（２ａ）との間に設けられた障子開閉装置（３）とを備えている。
【００２４】
窓枠（１）における前後方向の幅の中央部に、窓枠（１）内方に突出した障子受け（４）が全周にわたって形成されており、その先端部の前面にガスケット（５）が取り付けられている。下枠部材（１ａ）の障子受け（４）の上端に連なって、後方水平突出壁（６）が一体に形成され、後方水平突出壁（６）の後縁に連なって立ち上がり壁（７）が一体に形成されている。
【００２５】
障子（２）は、障子支持装置（８）を介して窓枠（１）に取り付けられている。障子支持装置（８）は、障子受け（４）よりも前側の部分において、窓枠（１）の左右縦枠部材（１ｂ）にそれぞれ取り付けられた上下に長いベース（９）、ベース（９）に上下方向に摺動自在に取り付けられたスライダ（１０）、スライダ（１０）に一端部が水平軸線の周りに回転自在に連結された第１ステー（１１）、第１ステー（１１）の他端部に一端部が水平軸線の周りに回転自在連結された障子取付板（１２）、およびベース（９）の下端部と障子取付板（１２）の長さの中間部に両端部がそれぞれ水平軸線周りに回転自在に連結された第２ステー（１３）を備えている。第２ステー（１３）の長さは第１ステー（１１）の長さよりも長くなっており、スライダ（１０）がベース（９）に沿って上下方向に摺動することにより、障子（２）が開閉するようになっている。障子（２）は、スライダ（１０）が下端部に至ったときに全開状態となる（図８参照）。
【００２６】
障子開閉装置（３）は、窓枠（１）の下枠部材（１ａ）における立ち上がり壁（７）の後面に固定されかつ前方に開口したプラスチック製ケーシング（１４）、ケーシング（１４）に回転自在に支持され、かつ後斜め上方に伸びる障子開閉用の操作軸（１５）、操作軸（１５）におけるケーシング（１４）よりも後方に突出した部分に取り付けられた操作ハンドル（１６）、ケーシング（１４）に一端部が垂直軸線の周りに回転自在に連結され、かつ操作軸（１５）の軸線周りの回転により回転させられる第１アーム（１７）、第１アーム（１７）の他端部に長さの中間部が垂直軸線の周りに回転自在に連結され、かつ一端部が窓枠（１）の下枠部材（１ａ）に対して左右方向に移動自在に連結されるとともに、他端部が障子（２）の下かまち（２ａ）に対して左右方向に移動自在に連結された第２アーム（１８）、第２アーム（１８）における下枠部材（１ａ）への連結側端部に垂直軸線周りに回転自在に設けられかつ閉位置にある障子（２）に係合して障子（２）をロックするロック部材（１９）、障子（２）の下かまち（２ａ）に固定されかつロック部材（１９）が係合する係合部材（２１）、および下枠部材（１ａ）に設けられかつ障子（２）が閉位置近傍から閉方向に回転するさいにロック部材（１９）を係合部材（２１）と係合する係合方向に回転させるとともに、障子（２）が閉位置から開くさいにロック部材（１９）を係合部材（２１）との係合を解除する反係合方向に回転させるロック手段を備えている。
【００２７】
第１アーム（１７）はケーシング（１４）内においてケーシング（１４）に回転自在に連結されており、その先端部がケーシング（１４）の開口および下枠部材（１ａ）の立ち上がり壁（７）にあけられた貫通穴を通して立ち上がり壁（７）よりも前方に突出している。障子（２）が図２に示す開位置にある場合、第１アーム（１７）はケーシング（１４）から右斜め前方に突出しており、その先端部はさらに右斜め前方に屈曲している。図示は省略したが、ケーシング（１４）内には、操作軸（１５）の軸線周りの回転を第１アーム（１７）の垂直軸線周りの回転に変換する適当な伝動手段が設けられている。
【００２８】
第２アーム（１８）は、下枠部材（１ａ）側の第１水平部分（１８ａ）と、第１水平部分（１８ａ）よりも下方の高さ位置にある下かまち（２ａ）側の第２水平部分（１８ｂ）と、両水平部分（１８ａ）（１８ｂ）を一体に連結する傾斜部分（１８ｃ）とよりなり、第１水平部分（１８ａ）が、第１アーム（１７）の先端部に回転自在に連結されている。
【００２９】
第２アーム（１８）は、次のようにして、一端部が窓枠（１）の下枠部材（１ａ）に対して左右方向に移動自在に連結されるとともに、他端部が障子（２）の下かまち（２ａ）に対して左右方向に移動自在に連結されている。
【００３０】
窓枠（１）の下枠部材（１ａ）および障子（２）の下かまち（２ａ）に、それぞれ左右方向に伸びるアーム支持部材（２２）（２３）が固定されている。図３および図４に示すように、下枠部材（１ａ）側のアーム支持部材（２２）は、下枠部材（１ａ）の立ち上がり壁（７）の前面に固定された左右方向に長い垂直状縦壁部分（２２ａ）と、縦壁部分（２２ａ）の上縁に連なって前方に突出した上壁部分（２２ｂ）と、縦壁部分（２２ａ）の下縁に連なって前方に突出した下壁部分（２２ｃ）とを有している。上壁部分（２２ｂ）に左右方向に長い長穴（２４）が形成されている。第２アーム（１８）の第１水平部分（１８ａ）における下枠部材（１ａ）側の端部に垂直状係合ピン（２５）が上方突出状に固定されており、この係合ピン（２５）が長穴（２４）内に移動自在に嵌められている。係合ピン（２５）の先端部に、径方向外側に張り出し、かつ長穴（２４）の幅よりも径の大きい頭部（２５ａ）が形成されている。また、上壁部分（２２ａ）よりも下方において、係合ピン（２５）の周りに長穴（２４）の幅よりも径の大きいカラー（２６）が回転自在に嵌められている。そして、頭部（２５ａ）とカラー（２６）との働きにより、第２アーム（１８）がアーム支持部材（２２）に対して上下方向にがたつかないようになっている。長穴（２４）の右端部、すなわち障子（２）が閉位置に来たさいに係合ピン（２５）が位置する側の端部は右斜め前方に屈曲しかつ右斜め後方に屈曲しており、ここに前方に突出した山形部分（２４ａ）が設けられている。
【００３１】
図５および図６に示すように、下かまち（２ａ）側のアーム支持部材（２３）は、下枠部材（１ａ）側のアーム支持部材（２２）より左方に配されており、下かまち（２ａ）の後面に固定される左右方向に長い帯状の縦壁部分（２３ａ）と、縦壁部分（２３ａ）の上側の縁に連なって後方に突出した横壁部分（２３ｂ）とよりなる。なお、下かまち（２ａ）側のアーム支持部材（２３）の縦壁部分（２３ａ）は障子（２）が閉位置にあるときに垂直状態となり、横壁部分（２３ｂ）は障子（２）が閉位置にあるときに後方に向かって若干上方に傾斜した状態となる。横壁部分（２３ｂ）に左右方向に長い長穴（２７）が形成されている。長穴（２７）は右方に向かって若干後方に傾斜している。第２アーム（１８）の第２水平部分（１８ｂ）の下かまち（２ａ）側端部に垂直状係合ピン（２８）が上方突出状に固定されており、この係合ピン（２８）が長穴（２７）内に移動自在に嵌められている。係合ピン（２８）の先端部に径方向外側に張り出した頭部（２８ａ）が形成されている。頭部（２８ａ）の外径は、長穴（２７）の幅よりも大きくなっている。長穴（２７）の右端部、すなわち障子（２）が開位置に来たさいに係合ピン（２８）が位置する側の端部に、頭部（２８ａ）の外径よりも大きな径を有する頭部通過穴（２９）が形成されている。頭部通過穴（２９）よりも右側の部分において、アーム支持部材（２３）の横壁部分（２３ｂ）の上面に、頭部通過穴（２９）を塞ぐ閉鎖位置と頭部通過穴（２９）を開放する開放位置との間で回転させられる穴閉鎖部材（３１）が、横壁部分（２３ｂ）と直交する軸線の周りに回転自在に取り付けられている。穴閉鎖部材（３１）の下面に下方に突出した半球状の突起（３３）が形成され、横壁部分（２３ｂ）上面における頭部通過穴（２９）の右側部分に、突起（３３）が嵌る凹所（３４）が形成されている。そして、穴閉鎖部材（３１）が閉鎖位置に来たときに、突起（３３）が凹所（３４）内に嵌り、穴閉鎖部材（３１）が閉鎖位置に保持されるようになっている。通常の障子（２）の開閉時には、穴閉鎖部材（３１）は閉鎖位置にあり、突起（３３）が凹所（３４）内に嵌ることにより閉鎖位置に保持されている。
【００３２】
図３、図４および図７に示すように、ロック部材（１９）は、障子（２）が開位置にあるときに、平面から見て長さの中間部が左方に突出したく字状であり、カラー（２６）よりも下方において、長さの中間部が係合ピン（２５）の周りに回転自在に嵌められている。ロック部材（１９）の前端部に、下方に突出しかつ第２アーム（１８）に当接してロック部材（１９）の回転を規制する回転規制用突起（３５）が一体に形成されている。
【００３３】
図４および図７に示すように、係合部材（２１）は障子（２）の下かまち（２ａ）後面に固定されており、下かまち（２ａ）後面に沿う第１の縦壁部分（２１ａ）と、第１縦壁部分（２１ａ）の右端に連なりかつ第１縦壁部分（２１ａ）と直角をなすように後方に突出した第２の縦壁部分（２１ｂ）とよりなる。なお、両縦壁部分（２１ａ）（２１ｂ）は、障子（２）が閉位置にあるときにそれぞれ垂直になる。第１縦壁部分（２１ａ）と第２縦壁部分（２１ｂ）とにまたがって開口（３６）が形成され、開口（３６）の後縁に連なって右斜め前方に傾斜した傾斜壁（３７）が一体に形成されている。
【００３４】
図３、図４および図７に示すように、ロック手段は、下枠部材（１ａ）側のアーム支持部材（２２）に設けられ、かつ障子（２）が閉位置近傍から閉方向に回転するさいにロック部材（１９）を係合部材（２１）と係合する係合方向（図７反時計方向）に回転させる当接ピン（３８）（当接部材）と、係合ピン（２５）におけるロック部材（１９）よりも下方の部分の周りに装着され、かつロック部材（１９）を常に第２アーム（１８）に対して係合部材（２１）との係合を解除する反係合方向（図７の時計方向）に付勢する捩りばね（３９）（付勢手段）とよりなる。当接ピン（３８）は、右端寄りの位置で、かつ長穴（２４）（２７）よりも後側のロック部材（１９）後端部に当接しうる位置において、アーム支持部材（２２）の上下壁部分（２２ａ）（２２ｂ）間に渡し止められている。捩りばね（３９）により付勢されたロック部材（１９）が図７の時計方向に回転し、回転規制用突起（３５）が第２アーム（１８）に当接することにより、ロック部材（１９）の回転位置が規制されるようになっている。
【００３５】
上記構成のすべり出し窓において、障子（２）が図１および図２に示す開位置にある場合、第１アーム（１７）は、図２の最も時計方向側に回転した開位置にあり、第２アーム（１８）は、第１アーム（１７）に対して最も反時計方向側に回転した開位置にある。このとき、第２アーム（１８）の下枠部材（１ａ）側の係合ピン（２５）はアーム支持部材（２２）の長穴（２４）内の左端寄りに位置し、同じく下かまち（２ａ）側の係合ピン（２８）はアーム支持部材（２３）の長穴（２７）内の右端部に位置している。
【００３６】
障子（２）を開位置から閉める場合、操作ハンドル（１６）を回すことにより操作軸（１５）を回転させて、第１アーム（１７）を開位置から図２の反時計方向に回転させる。すると、第２アーム（１８）が、第１アーム（１７）に対して図２の時計方向に回転し、さらに下枠部材（１ａ）側の係合ピン（２５）が長穴（２４）内を右方に移動するとともに下かまち（２ａ）側の係合ピン（２８）が長穴（２７）内を左方に移動し、これにより障子（２）が閉まる。
【００３７】
障子（２）が閉位置の近傍に至り、下枠部材（１ａ）側の係合ピン（２５）が長穴（２４）の山形部分（２４ａ）内に入ると、当接ピン（３８）がロック部材（１９）の後端部に当接し（図７（ａ）参照）、障子（２）がさらに閉まることによってロック部材（１９）が図７の反時計方向への回転を開始する。ついで、障子（２）がさらに閉まると、係合ピン（２５）が長穴（２４）の山形部分（２４ａ）の頂部（前端部）近傍に至り、ロック部材（１９）の前端が、係合部材（２１）の開口（３６）に臨む位置に来る（図７（ｂ）参照）。その後、障子（２）が閉位置まで閉まると、係合ピン（２５）が長穴（２４）の右端部に至り、ロック部材（１９）の前端が係合部材（２１）の傾斜壁（３７）に係合し、これにより障子（２）がロックされる（図７（ｃ）参照）。
【００３８】
障子（２）がロックされている状態では、障子（２）には、下かまち（２ａ）側の係合ピン（２８）が長穴（２７）に係合すること、およびロック部材（１９）が係合部材（２１）に係合していることにより、左右方向に間隔をおいた２つの位置で、閉方向の力が作用する。したがって、窓枠（１）と障子（２）のかまちとの間の密閉性が向上する。
【００３９】
閉位置にある障子（２）を開く場合、操作ハンドル（１６）を閉じる場合とは反対側に回すことにより操作軸（１５）を回転させて、第１アーム（１７）を図７（ｃ）に示す閉位置から図７の時計方向に回転させる。すると、第２アーム（１８）が、第１アーム（１７）に対して図７の反時計方向に回転し、さらに下枠部材（１ａ）側の係合ピン（２５）が長穴（２４）内を左方に移動するとともに下かまち（２ａ）側の係合ピン（２８）が長穴（２７）内を右方に移動し、これにより障子（２）が開き始める。このとき、ロック部材（１９）は捩りばね（３９）の付勢力により、図７の時計方向に回転させられる。第２アーム（１８）の下枠部材（１ａ）側の係合ピン（２５）が長穴（２４）の山形部分（２４ａ）の頂部近傍に至ると、ロック部材（１９）の係合部材（２１）の傾斜壁（３７）への係合が解除される。さらに、操作ハンドル（１６）を回し続けると、障子（２）は開位置まで開く。
【００４０】
こうして、操作ハンドル（１６）により操作軸（１５）を回すだけで、障子（２）のロックおよびロック解除と、障子（２）の開閉とを同時に行うことができる。
【００４１】
障子（２）の外面を清掃する必要がある場合、障子（２）が開位置に来た後、穴閉鎖位置（図５鎖線参照）にある穴閉鎖部材（３１）に図５の時計方向の力を加えて突起（３３）を凹所（３４）から脱出させ、さらに図５および図６に実線で示す開放位置まで回転させる。ついで、第２アーム（１８）の下かまち（２ａ）側の係合ピン（２８）を頭部通過穴（２９）内にまで移動させた後、第２アーム（１８）の下かまち（２ａ）側の端部を下方に押し、係合ピン（２８）の頭部（２８ａ）を頭部通過穴（２９）を通して下方に抜く。その後、障子支持装置（８）のスライダ（１０）がベース（９）の下端に至るまで障子（２）を開く（図８参照）。このとき、障子（２）をほぼ水平な状態まで屋外側に開くことが可能となり、その結果障子（２）の外面が上方を向くとともに、障子（２）と窓枠（１）の上枠部材（１ｃ）との間の隙間が大きくなる。したがって、障子（２）の外面の清掃を簡単に行うことができる。
【００４２】
図９および図１０はこの発明によるすべり出し窓の他の実施形態を示す。
【００４３】
この実施形態の場合、すべり出し窓は、たとえば家屋の壁の高所に設けられる。また、障子開閉装置（３）の操作軸（１５）には操作ハンドル（１６）は取り付けられていない。
【００４４】
窓枠（１）の下枠部材（１ａ）には後方に突出しかつ後端に垂直壁部分（４０ａ）を有するブラケット（４０）が固定されており、このブラケット（４０）の垂直壁部分（４０ａ）にプーリ（４１）および歯車装置（４２）が設けられている。
【００４５】
プーリ（４１）は、図示しない固定手段により垂直壁部分（４０ａ）に固定されたプラスチック製基板（４３）と、基板（４３）の後面に着脱自在に固定されたプラスチック製蓋（４４）とよりなるケーシング（４５）内に配されている。ケーシング（４５）は下方に開口している。基板（４３）の中央部に貫通穴（４３ａ）が形成され、貫通穴（４３ａ）の周囲に前方へ突出した円筒部（４３ｂ）が一体に形成されており、この円筒部（４３ｂ）が垂直壁部分（４０ａ）に形成された貫通穴（４０ｂ）に後方から通されている。円筒部（４３ｂ）に、前後両端部に小径部（４６ａ）（４６ｂ）を有する水平状の段付き軸（４６）の中央大径部（４６ｃ）が、回転自在に支持されている。段付き軸（４６）の後側小径部（４６ｂ）の周囲にプーリ（４１）が嵌められて固定されている。プーリ（４１）の外周面の溝（４１ａ）内に、凹凸が周方向に交互に形成されており、多数の球状体（４７ａ）が間隔をおいて数珠状に連結されてなる無端状線状体（４７）が、溝（４１ａ）内に嵌るようにプーリ（４１）に掛けられている。そして、凹凸と球状体（４７ａ）との働きにより線状体（４７）のプーリ（４１）に対するすべりが防止されている。線状体（４７）の下端は、すべり出し窓の下方の操作しうる適当な高さ位置にある。
【００４６】
歯車装置（４２）は、ブラケット（４０）の垂直壁部分（４０ａ）前面に固定されたプラスチック製カバー（４８）内に設けられており、段付き軸（４６）の前側小径部（４６ａ）の周囲に固定された小歯車（４９）と、カバー（４８）に回転自在に支持された水平軸（５１）の周囲に固定され、かつ小歯車（４９）と噛み合う大歯車（５２）とよりなる。水平軸（５１）の前端部はカバー（４８）よりも前方に突出しており、自在継ぎ手（５３）を介して障子開閉装置（３）の操作軸（１５）に連結されている。したがって、線状体（４７）により回転させられるプーリ（４１）の回転速度は、増速されて操作軸（１５）に伝わる。
【００４７】
その他の構成は図１〜図８に示す第１の実施形態と同様であり、同一部分および同一物には同一符号を付す。
【００４８】
この実施形態のすべり出し窓によれば、線状体（４７）により、すべり出し窓の下方に離隔した位置から、プーリ（４１）、段付き軸（４６）、小歯車（４９）、大歯車（５２）、水平軸（５１）および自在継ぎ手（５３）を介して操作軸（１５）を回転させることにより、上述した第１の実施形態の場合と同様に、障子（２）のロックおよびロック解除と、障子（２）の開閉とが同時に行われる。
【００４９】
上述した２つの実施形態においては、この発明によるすべり出し窓が、先に定義した上下方向、すなわち図１および図９の上下方向を垂直方向に向けて使用されているが、これに限るものではなく、この発明によるすべり出し窓は、定義した上下方向を水平方向に向けて使用したり、斜め方向に向けて使用したりする場合も含む。また、上述した実施形態とは上下逆向きにして使用する場合も含む。
【００５０】
さらに、上述した実施形態のすべり出し窓は、窓枠（１）と、窓枠（１）に、上端部において水平な回転中心線の周りに回転するように取り付けられ、かつ前記回転中心線が上下方向に移動するようになされた障子（２）と、窓枠（１）の下枠部材（１ａ）と障子（２）の下かまち（２ａ）との間に設けられた障子開閉装置（３）とを備えたすべり出し窓において、障子開閉装置（３）が、障子開閉用の操作軸（１５）と、下枠部材（１ａ）に垂直軸線の周りに回転自在に設けられ、かつ操作軸（１５）の軸線周りの回転により回転させられる第１アーム（１７）と、長さの中間部において第１アーム（１７）の先端部に回転自在に連結され、かつ一端部が下枠部材（１ａ）に対して左右方向に移動自在に連結されるとともに、他端部が下かまち（２ａ）に対して左右方向に移動自在に連結された第２アーム（１８）とを備えており、第２アーム（１８）の下かまち（２ａ）側端部が、下かまち（２ａ）に対して着脱自在に連結されていることを含む。たとえば、下枠部材（１ａ）および下かまち（２ａ）にそれぞれアーム支持部材（２２）（２３）が固定され、両アーム支持部材（２２）（２３）にそれぞれ左右方向に伸びる長穴（２４）（２７）が形成され、第２アーム（１８）の両端部に設けられた垂直状係合ピン（２５）（２８）が、それぞれ両アーム支持部材（２２）（２３）の長穴（２４）（２７）内に移動自在に嵌められ、第２アーム（１８）の下かまち（２ａ）側端部に設けられた係合ピン（２８）の先端部に径方向外側に張り出した頭部（２８ａ）が形成され、下かまち（２ａ）側のアーム支持部材（２３）の長穴（２７）の幅が頭部が通らないような幅となされ、この長穴（２７）における障子（２）が開位置に来たさいに係合ピン（２８）が位置する側の端部に連なって、頭部（２８）が通過しうる頭部通過穴（２９）が形成されていることを含む。さらに、この場合、下かまち（２ａ）側のアーム支持部材（２３）に、頭部通過穴（２９）を塞ぐ位置と開放する位置との間で切り替えられる穴閉鎖部材（３１）が設けられていることがある。
【図面の簡単な説明】
【図１】この発明によるすべり出し窓の実施形態を示す垂直断面図である。
【図２】図１のＩＩ−ＩＩ線断面図である。
【図３】図１の部分拡大図である。
【図４】障子開閉装置の下枠部材側の一部分を拡大して示す斜視図である。
【図５】図２の部分拡大図である。
【図６】障子開閉装置の下かまち側の一部分を拡大して示す斜視図である。
【図７】障子が閉位置に至るさいの動作を示す障子開閉装置の下枠部材側の部分の平面図である。
【図８】障子の外面を清掃する場合の状態を示す垂直断面図である。
【図９】この発明によるすべり出し窓の他の実施形態を示す部分垂直断面図である。
【図１０】同じく後方から見た分解斜視図である。
【符号の説明】
（１）：窓枠
（１ａ）：下枠部材
（２）：障子
（２ａ）：下かまち
（３）：障子開閉装置
（１５）：操作軸
（１７）：第１アーム
（１８）：第２アーム
（１９）：ロック部材
（２１）：係合部材
（２２）（２３）：アーム支持部材
（２４）（２７）：長穴
（２５）（２８）：係合ピン
（２８ａ）：頭部
（２９）：頭部通過穴
（３１）：穴閉鎖部材
（３９）：捩りばね
【図１】
2004076452.tif 000003
【図２】
2004076452.tif 000004
【図３】
2004076452.tif 000005
【図４】
2004076452.tif 000006
【図５】
2004076452.tif 000007
【図６】
2004076452.tif 000008
【図７】
2004076452.tif 000009
【図８】
2004076452.tif 000010
【図９】
2004076452.tif 000011
【図１０】
2004076452.tif 000012